(57)【要約】【課題】画面に表示される楽譜パートに対応するミキサーパートを素早く認識することができる楽譜表示・演奏プログラムを提供する。【解決手段】複数の楽譜パートを含む楽譜を表示する機能と、前記複数の楽譜パートのそれぞれに対応して音的効果を変更する複数のミキサーパートを画面内に一覧表示する機能と、前記楽譜パートのうちの１つが選択された際に該選択された楽譜パートに対応するミキサーパートの表示態様を他のミキサーパートと異ならせる機能、または、前記ミキサーパートのうちの１つが選択された際に該選択されたミキサーパートに対応する楽譜パートの表示態様を他の楽譜パートと異ならせる機能の少なくともいずれか一方の機能とをコンピュータに実行させる。前記楽譜パートまたはミキサーパートの選択が、入力手段によって任意の楽譜パートまたは任意のミキサーパートをポインタでホバーすることで実行される。【選択図】図１
2018101048.tif 000002
【特許請求の範囲】
【請求項１】
楽譜データを画面に表示すると共に、前記楽譜データに対応する演奏データを演奏する楽譜表示・演奏プログラムにおいて、
複数の楽譜パートを含む楽譜を表示する機能と、
前記複数の楽譜パートのそれぞれに対応して音的効果を変更する複数のミキサーパートを画面内に一覧表示する機能と、
前記楽譜パートのうちの１つが選択された際に該選択された楽譜パートに対応するミキサーパートの表示態様を他のミキサーパートと異ならせる機能、または、前記ミキサーパートのうちの１つが選択された際に該選択されたミキサーパートに対応する楽譜パートの表示態様を他の楽譜パートと異ならせる機能の少なくともいずれか一方の機能と、
をコンピュータに実行させることを特徴とする楽譜表示・演奏プログラム。
【請求項２】
前記楽譜パートまたはミキサーパートの選択が、入力手段によって任意のパートまたは任意のミキサーをポインタでホバーすることで実行されることを特徴とする請求項１に記載の楽譜表示・演奏プログラム。
【請求項３】
前記任意の楽譜パートが選択された際に該楽譜パートに対応するミキサーパートの少なくとも一部を異なる色で発光させる機能、または、前記任意のミキサーパートが選択された際に該ミキサーパートに対応する楽譜パートの五線譜を異なる色で発光させる機能のうち少なくともいずれか一方の機能を有することを特徴とする請求項１または２に記載の楽譜表示・演奏プログラム。
【請求項４】
前記ミキサーパートの一覧表示が、楽譜パートの順序に対応する順序で各ミキサーパートを横一列に配置することで行われることを特徴とすることを特徴とする請求項１ないし３のいずれかに記載の楽譜表示・演奏プログラム。
【請求項５】
前記ミキサーパートの一覧表示が、楽譜パートの順序に対応する順序で各ミキサーパートを縦一列に配置することで行われることを特徴とすることを特徴とする請求項１ないし３のいずれかに記載の楽譜表示・演奏プログラム。
【請求項６】
前記入力手段が、前記コンピュータの外部機器またはタッチパネル式の画面であることを特徴とする請求項２に記載の楽譜表示・演奏プログラム。
【発明の詳細な説明】
【技術分野】
【０００１】
本発明は、楽譜表示・演奏プログラムに係り、特に、楽譜上のパートと該パートに対応するミキサーとを画面に表示する機能を有する楽譜表示・演奏プログラムに関する。
【背景技術】
【０００２】
従来から、楽譜を画面上に表示し、それに対応する演奏データの編集や演奏を可能とする楽譜表示・演奏プログラムにおいて、楽譜の各パートの音色や音量等を調整するミキサーを楽譜と共に画面内に表示することが知られている。
【０００３】
このような楽譜表示・演奏プログラムにおいて、楽譜上のパート（以下、「楽譜上のパート」のことを「楽譜パート」と呼ぶ）は実際の楽譜と同様に縦方向に配列されている。これに対し、画面に表示されるミキサーは、実際のオーディオミキサーの入力チャンネルのように複数のパートコントロール領域（以下、「ミキサー上の各パートコントロール領域」のことを、「ミキサーパート」と呼ぶ）を横一列に並べ、楽譜表示と独立する領域に配置するものが一般的である。これにより、楽譜を見ながら特定のパートの音色や音量等を調整する際には、対応するミキサーパートをパート名称やパート番号によって探す必要があった。特に、楽譜を拡大表示した場合には、パート名称等が画面内に表示されないことも多く、楽譜パートとミキサーパートとの対応関係を素早く認識することがより難しくなる。このように、表示態様の異なる２種類のデータを同時に参照する場合には、互いの対応関係を明確にするための工夫が必要となる。
【０００４】
特許文献１には、文章データとこの文章データに対応する複数の図面データを同時に編集する表示プログラムにおいて、カーソルを合わせた文章に含まれる語句に基づいて、この文章に対応する図面を判別し、他の図面より手前に表示するようにした構成が開示されている。
【先行技術文献】
【特許文献】
【０００５】
【特許文献１】特開平５−２２５１８１号公報
【発明の概要】
【発明が解決しようとする課題】
【０００６】
ここで、楽譜表示・演奏プログラムのミキサー表示は、実際のオーディオミキサーと同様に複数のミキサーパートの調整状態が一望できることが好ましい。この点、特許文献１の技術をミキサー表示に適用すると、選択した楽譜パートとミキサーパートとの対応関係は明確になるものの、手前に表示したミキサーパートで他のミキサーパートが隠されてしまい、複数のミキサーパートを一望することができないという課題があった。
【０００７】
本発明の目的は、上記従来技術の課題を解決し、画面に表示される楽譜パートに対応するミキサーパートを素早く認識することができる楽譜表示・演奏プログラムを提供することにある。
【課題を解決するための手段】
【０００８】
前記目的を達成するために、本発明は、楽譜データを画面に表示すると共に、前記楽譜データに対応する演奏データを演奏する楽譜表示・演奏プログラムにおいて、複数の楽譜パートを含む楽譜を表示する機能と、前記複数の楽譜パートのそれぞれに対応して音的効果を変更する複数のミキサーパートを画面内に一覧表示する機能と、前記楽譜パートのうちの１つが選択された際に該選択された楽譜パートに対応するミキサーパートの表示態様を他のミキサーパートと異ならせる機能、または、前記ミキサーパートのうちの１つが選択された際に該選択されたミキサーパートに対応する楽譜パートの表示態様を他の楽譜パートと異ならせる機能の少なくともいずれか一方の機能と、をコンピュータに実行させる点に第１の特徴がある。
【０００９】
また、前記楽譜パートまたはミキサーパートの選択が、入力手段によって任意の楽譜パートまたは任意のミキサーパートをポインタでホバーすることで実行される点に第２の特徴がある。
【００１０】
また、前記任意の楽譜パートが選択された際に該楽譜パートに対応するミキサーパートの少なくとも一部を異なる色で発光させる機能、または、前記任意のミキサーパートが選択された際に該ミキサーパートに対応する楽譜パートの五線譜を異なる色で発光させる機能のうち少なくともいずれか一方の機能を有する点に第３の特徴がある。
【００１１】
また、前記ミキサーパートの一覧表示が、楽譜パートの順序に対応する順序で各ミキサーパートを横一列に配置することで行われる点に第４の特徴がある。
【００１２】
また、前記ミキサーパートの一覧表示が、楽譜パートの順序に対応する順序で各ミキサーパートを縦一列に配置することで行われる点に第５の特徴がある。
【００１３】
さらに、前記入力手段が、前記コンピュータの外部機器またはタッチパネル式の画面である点に第６の特徴がある。
【発明の効果】
【００１４】
第１の特徴によれば、楽譜データを画面に表示すると共に、前記楽譜データに対応する演奏データを演奏する楽譜表示・演奏プログラムにおいて、複数の楽譜パートを含む楽譜を表示する機能と、前記複数の楽譜パートのそれぞれに対応して音的効果を変更する複数のミキサーパートを画面内に一覧表示する機能と、前記楽譜パートのうちの１つが選択された際に該選択された楽譜パートに対応するミキサーパートの表示態様を他のミキサーパートと異ならせる機能、または、前記ミキサーパートのうちの１つが選択された際に該選択されたミキサーパートに対応する楽譜パートの表示態様を他の楽譜パートと異ならせる機能の少なくともいずれか一方の機能と、をコンピュータに実行させるので、楽譜が多数の楽譜パートを含む場合でも、楽譜パートとミキサーパートとの対応関係が一目瞭然となり、お目当てのパートの音色や音量等の調整をすばやく正確に行うことが可能となる。
【００１５】
第２の特徴によれば、前記楽譜パートまたはミキサーパートの選択が、入力手段によって任意の楽譜パートまたは任意のミキサーパートをポインタでホバーすることで実行されるので、マウスによるマウスポインタのホバーやタッチパネル操作によるホバーによって、楽譜パートまたはミキサーパートを容易に選択することが可能となる。
【００１６】
第３の特徴によれば、前記任意の楽譜パートが選択された際に該楽譜パートに対応するミキサーパートの少なくとも一部を異なる色で発光させる機能、または、前記任意のミキサーパートが選択された際に該ミキサーパートに対応する楽譜パートの五線譜を異なる色で発光させる機能のうち少なくともいずれか一方の機能を有するので、楽譜パートに対応するミキサーパートまたはミキサーパートに対応する楽譜パートを素早く判別することが可能となる。
【００１７】
第４の特徴によれば、前記ミキサーパートの一覧表示が、楽譜パートの順序に対応する順序で各ミキサーパートを横一列に配置することで行われるので、物理的なミキサーの配置と同様の横一列の配置により、画面上のミキサー操作を違和感なく行うことが可能となる。この場合、楽譜パートが縦方向に並ぶのに対し、ミキサーパートが横方向に並ぶことになるが、選択された楽譜パートに対応するミキサーパートまたは選択されたミキサーパートに対応する楽譜パートの表示態様が変わるため、任意の楽譜パートまたは任意のミキサーパートを容易に見つけることが可能となる。
【００１８】
第５の特徴によれば、前記ミキサーパートの一覧表示が、楽譜パートの順序に対応する順序で各ミキサーパートを縦一列に配置することで行われるので、縦一列に並ぶミキサーを画面に縦長に表示することで、画面に同時に表示できる楽譜パートの数を増やすことができる。また、楽譜パートが縦方向に並ぶ順序とミキサーパートが縦方向に並ぶ順序を共通化することで、任意の楽譜パートまたは任意のミキサーパートを容易に見つけることが可能となる。
【００１９】
第６の特徴によれば、前記入力手段が、前記コンピュータの外部機器またはタッチパネル式の画面であるので、マウス操作やタッチパネル操作によって、任意の楽譜パートまたは任意のミキサーパートを容易に選択することが可能となる。
【図面の簡単な説明】
【００２０】
【図１】本発明の一実施形態に係る楽譜表示・演奏プログラムを実行するハードウェアの構成を示す機能ブロック図である。
【図２】楽譜表示・演奏プログラムによって表示装置３に同時に表示される楽譜画像およびミキサー画像の例である。
【図３】ミキサーパートの拡大図である。
【図４】楽譜表示・演奏プログラムによって表示装置に同時に表示される楽譜画像およびミキサー画像の例である。
【図５】楽譜表示・演奏プログラムによって表示装置に同時に表示される楽譜画像およびミキサー画像の変形例である。
【図６】楽譜表示プログラム・演奏プログラムによって楽譜画像とミキサー画像との対応表示処理が実行される手順を示すフローチャートである。
【図７】従来例１に係る楽譜およびミキサーの表示態様である。
【図８】従来例２に係る楽譜およびミキサーの表示態様である。
【発明を実施するための形態】
【００２１】
以下、図面を参照して本発明の好ましい実施の形態について詳細に説明する。図１は、本発明の一実施形態に係る楽譜表示・演奏プログラムを実行するハードウェア１の構成を示す機能ブロック図である。楽譜表示・演奏プログラムは、パソコンやタブレット型端末等からなるハードウェア１にインストールされており、表示装置３に任意の拡大率で楽譜画像を表示するほか、入力装置２による入力操作に基づいて楽譜データの編集や演奏を可能とする。入力装置２および表示装置３は、ハードウェア１がパソコンであれば一般的なマウスおよびディスプレイとすることができる。また、ハードウェア１が、タッチパネル式ディスプレイを適用したタブレット型端末等である場合は、タッチパネル式ディスプレイが入力装置２および表示装置３を兼ねることとなる。楽譜データの演奏は、スピーカやヘッドホンからなるサウンド出力装置４から出力することができる。
【００２２】
そして、本実施形態では、複数の楽器等からなる各パートの音色や音量等を調整するミキサーを楽譜と同時に表示装置３に表示し、楽譜を見ながら複数のミキサーパートの各ミキサーパートの調整ツマミ等を操作できるように構成されている。
【００２３】
ハードウェア１には、入力装置２によるユーザの移動操作を検出する入力操作検出部１０、入力操作検出部１０により検知された入力情報に基づいて、任意のミキサーパートに対する操作を検出するミキサーパート操作検出部１１、ミキサーパート操作検出部１１からの情報に基づいてミキサーパートの調整状態を設定するミキサーパート情報設定部１３が含まれる。
【００２４】
本実施形態に係る楽譜表示・演奏プログラムは、表示装置３に表示された楽譜に含まれる複数の楽譜パートと、楽譜と共に表示された複数のミキサーパートとの対応関係を明確にするため、マウスのポインタを重ねたりタッチパネル式ディスプレイに触れたりことで任意の楽譜パートをホバー（オーバー）することで、ホバーした楽譜パートに対応するミキサーパートの表示態様が変化する一方、任意のミキサーパートをホバーすることで、ホバーしたミキサーパートに対応する楽譜パートの表示態様が変化する点に特徴がある。
【００２５】
これを実現するため、ハードウェア１には、ホバーされた楽譜パートを検出する楽譜ホバーパート検出部１４と、ホバーされたミキサーパートを検出するミキサーホバーパート検出部１２とが設けられている。ミキサーパート情報設定部１３は、音色や音量等の調整情報だけでなく、楽譜ホバーパート検出部１４およびミキサーホバーパート検出部１２からのホバー情報を含んだミキサーパート情報を設定し、ミキサーパート情報記憶部１６に伝達する。
【００２６】
ミキサー画像生成部１７は、各楽譜パートに対応するミキサーパートの画像を生成するほか、ミキサーパート情報記憶部１６に記憶されたミキサーパート情報に基づいて、音量調整バー等の可動部の更新画像や、対応する楽譜パートがホバーされたことを示す異なる態様の画像を含んだミキサー画像を生成する。
【００２７】
楽譜画像生成部１９は、楽譜情報記憶部１８に記憶された楽譜データに基づいて楽譜画像を生成するほか、対応するミキサーパートがホバーされたことを示す異なる態様の画像を含んだ楽譜画像を生成する。
【００２８】
再生情報生成部１５は、ミキサーパート情報および楽譜情報に基づいて再生情報を生成し、生成された再生情報は再生情報記憶部２５に記憶される。サウンド生成部２６は、再生情報記憶部２５に記憶された再生情報に基づいて、サウンド再生部２７からサウンド出力装置４に伝達されるサウンドを生成する。
【００２９】
図２は、楽譜表示・演奏プログラムによって表示装置３に同時に表示される楽譜画像およびミキサー画像の例である。表示領域２０は、上側の楽譜表示領域２１および下側のミキサー表示領域２２を有する。楽譜画像３０は、複数の楽譜パートを縦方向に並べて構成され、単一のパート３３（この図では、ビオラ）を構成する五線譜領域３１の左端部には、それぞれのパート名称３２が表示されている。また、楽譜画像３０は、任意の拡大倍率で楽譜表示領域２１に表示されるほか、マウスやタッチパネル操作で楽譜をつかんで別の位置に動かすようにして現在の表示位置を別の位置へ移動（スクロール）させるパン機能によって表示位置を変更することができる。一方、ミキサー画像は、各楽譜パートに対応する複数のミキサーパートからなり、この図では、全１８の楽譜パートに対応するミキサーパートＭ１〜Ｍ１８が横一列に並べられている。なお、所定の操作によって、楽譜表示領域２１の上側にミキサー表示領域２２を配置することもできる。
【００３０】
前記したように、ミキサー画像に関しては、音量等の調整度合いを他のパートと比較しながら操作したいという要望があるため、実際のオーディオミキサーと同様に複数のミキサーパートが一列に並べられていることが好ましい。これに対し、楽譜画像３０の記号や音符等を編集する際には、楽譜画像３０の一部を拡大表示することが考えられる。そうすると、楽譜表示領域２１にパート名称等が表示されなくなることもあり、楽譜上のパートとミキサーとの対応関係を素早く認識することが難しくなる。
【００３１】
ここで、図７，８を参照して従来例を説明する。図７に示す従来例１では、表示領域１００が、上側の楽譜表示領域１０１および下側のミキサー表示領域１０２を有しており、楽譜画像１１０は、複数の楽譜パートを縦方向に並べて構成され、単一のパート１１２（この図では、バイオリン1）を構成する五線譜領域の左端部に、パート名称１１１が表示されている。一方、ミキサー画像は、１１の楽譜パートに対応するミキサーパートＭ１〜Ｍ１１からなる。ひとつのミキサーパートには、上から、パート番号表示１２０、リバーブ調整ツマミ１２１、コーラス調整ツマミ１２２、パンポット調整ツマミ１２３、パート名称表示１２４、音量ツマミ１２５が配設されている。図７において、パート名称１１１で示すバイオリンＩに対応するミキサーパートはパート番号８番のＭ８であるが、パート番号やパート名称を照合する方法では、両者の対応関係を素早く認識することは難しい。
【００３２】
また、図８に示す従来例２は、楽譜画像１５０を構成する楽譜パート１５１，１５２，１５３，１５４の左側に、対応するミキサーパートをそれぞれ配置したものである。楽曲全体のテンポ等を調整するマスターコントロール１６０を最上部に配置し、それ以下の領域では、各パート名称１５５，１５６の左側に収納式の見出し部１６１を設けている。ミキサーパートを調整する際には、音量調整ツマミを兼ねる見出し部１６１を引き出すことでパンポット調整ツマミ１６２や楽器選択バー１６３が現れ、楽器選択バー１６３からのプルダウン表示１６４により楽器の変更が可能となる。この構成によれば、楽譜パートとミキサーパートとの対応関係は明確になるが、楽譜の表示位置によってはミキサーパートによって楽譜が隠されてしまうし、楽譜の表示倍率を高くしたり楽譜パートが多くなったりすると複数のミキサーパートを同時に閲覧できなくなるという課題があった。
【００３３】
そこで、本発明に係る楽譜表示・演奏プログラムでは、図２に示すように、楽譜画像３０の五線譜領域３１をポインタ４０でホバーすることで、対応するミキサーパートの表示態様が変化するように構成した。この図の例では、１６番目のパートであるビオラの五線譜領域３１をホバーすることで、１６番目のミキサーパートＭ１６の表示窓５０の色が変化している。このように、任意の五線譜領域をホバーすることで対応するミキサーパートの表示態様が変化するので、楽譜が多数のパートを含む場合でも、任意の楽譜パートとミキサーパートとの対応関係が一目瞭然となり、お目当てのパートの音色や音量等の調整をすばやく正確に行うことが可能となる。
【００３４】
図３は、ミキサーパートＭ１６の拡大図である。本実施形態に係るミキサーパートには、上から、表示窓としてのパート番号／パート名称表示５０、ソロスイッチ「Ｓ」、リバーブ調整ツマミ５１、コーラス調整ツマミ５２、パンポット調整ツマミ５３、第２楽器音色名表示５４、音量ツマミ５５、レベルメーターが配設されている。図２に示すように、そして、対応する五線譜領域をホバーすることでパート番号／パート名称表示５０の色が変わり（例えば、黒→水色）、お目当てのミキサーパートをすばやく認識することが可能となる。
【００３５】
図４は、楽譜表示・演奏プログラムによって表示装置３に同時に表示される楽譜画像およびミキサー画像の例である。ミキサー表示領域２２のミキサーパートＭ１〜Ｍ１８の構成は図２と共通である。図２では、楽譜パートをポインタでホバーすることでミキサーパートの表示態様を変える例を示したが、この図では、ミキサーパートをホバーすることで楽譜パートの表示態様を変える例を示しており、ミキサーパートＭ１３（この図では、チェレスタ）をホバーすることで、表示窓５０の色が変わると共に、楽譜画像６０のパート６４を構成する五線譜領域６１，６２の背景色が変わっている（例えば、白→水色）。これにより、楽譜画像６０のパート名称６３等と照合することなく、お目当ての楽譜パートの閲覧や編集をすばやく正確に行うことが可能となる。
【００３６】
図５は、楽譜表示・演奏プログラムによって表示装置３に同時に表示される楽譜画像およびミキサー画像の変形例である。この例では、複数のミキサーパートを縦に並べることで、楽譜表示領域２１の左側にミキサー表示領域２２を配置している。表示窓５０等のミキサーパートの構成要素は図３に示したミキサーパートと同様であり、横長の矩形に合わせて、表示窓としてのパート番号／パート名称表示５０の右隣に楽器音色名表示５４が配設されている。
【００３７】
この表示形態においても、所定のミキサーパートＭ１３（この図では、チェレスタ）をホバーすることで、パート番号／パート名称表示５０および対応する五線譜領域７１，７２の色が変わる一方、所定のパート７４を構成する五線譜領域７１，７２をホバーすることで対応するミキサーパートのパート番号／パート名称表示５０の色が変わる。これにより、楽譜のパート名称７３の照合等を行うことなく両者の対応関係をすばやく認識できる。
【００３８】
上記の例では、楽譜表示領域２１の左側にミキサー表示領域２２を配置していたが、これに限らず、楽譜表示領域２１の右側にミキサー表示領域２２を配置してもよい。さらには、ミキサー表示領域２２をフローティングさせて楽譜表示領域２１にオーバーラップさせて配置したり、画面の上下左右にドッキングさせたりしてもよい。ミキサー表示領域２２のサイズや位置を可変にしたりしてもよい。また、ミキサー表示領域２２内にすべてのミキサーパートを表示しきれない場合には、ミキサー表示領域２２内でミキサーパートの集合体の全体をスクロール可能にして、お目当てのミキサーパートを表示できるようにしてもよい。
【００３９】
図６は、本発明に係る楽譜表示プログラム・演奏プログラムによって楽譜画像とミキサー画像との対応表示処理が実行される手順を示すフローチャートである。以下に示す処理は、図１のブロック図に示した各構成要素の動作によって実現される。
【００４０】
ステップＳ１では、入力操作検出部１０によって入力装置２からの入力操作の検出が行われ、ステップＳ２では、楽譜ホバーパート検出部１４によってどの楽譜パートがホバーされたか否かが判定される。ステップＳ２で肯定判定されると、ステップＳ３に進んで識別化のための表示態様の変更に係るミキサーパート情報が更新される。
【００４１】
一方、ステップＳ２で否定判定されると、ステップＳ８に進み、ミキサーホバーパート検出部１２によってどのミキサーパートがホバーされたか否かが判定される。ステップＳ８で肯定判定されると、ステップＳ３に進んで、識別化のための表示態様の変更に係るミキサーパート情報が更新される。
【００４２】
さらに、ステップＳ８で否定判定されると、ステップＳ９に進み、ミキサーパート操作検出部１１によってミキサーパートの調整ツマミ等が操作されたか否かが判定される。ステップＳ９で肯定判定されると、ステップＳ３に進んで、調整操作に係るミキサーパート情報が更新される。ステップＳ９で否定判定されると、ステップＳ１に戻る。
【００４３】
ステップＳ３における楽譜パート／ミキサーパートのホバー情報またはミキサーパートの操作情報に基づくミキサーパート情報が更新は、ミキサーパート情報設定部１３によって実行され、更新されたミキサーパート情報はミキサーパート情報記憶部１６に記憶される。続くステップＳ４では、この更新情報に基づいて楽譜画像生成部１９によって楽譜画像が更新される。このとき、更新されたミキサーパート情報にミキサーパートのホバー情報が含まれていると、楽譜パートの五線譜部分を着色する等の更新が行われる。
【００４４】
続くステップＳ５では、ステップＳ３で更新されたミキサーパート情報に基づいてミキサー画像生成部１７によってミキサー画像が更新される。このとき、更新されたミキサーパート情報に楽譜パート／ミキサーパートのホバー情報が含まれていると、ミキサーパートの表示窓５０を着色する等の更新が行われる。また、更新されたミキサーパート情報に調整ツマミ等の調整操作に係るミキサーパート情報が含まれている場合には、ミキサーパートの調整ツマミ画像を調整操作に応じて動かす等の更新が行われる。
【００４５】
そして、ステップＳ６では、表示装置３に表示するための画面表示の更新が行われて、ステップＳ７に進む。ステップＳ７では、楽譜表示・演奏プログラムが終了となったか否かが判定され、否定判定されるとステップＳ１に戻り、肯定判定されるとそのまま一連の制御を終了することとなる。
【００４６】
上記した構成により、本実施形態に係る楽譜表示・演奏プログラムによれば、複数の楽譜パートを含む楽譜を表示する機能と、前記複数の楽譜パートのそれぞれに対応して音的効果を変更する複数のミキサーパートを画面内に一覧表示する機能と、楽譜パートのうちの１つが選択された際に該選択された楽譜パートに対応するミキサーパートの表示態様を他のミキサーパートと異ならせる機能と、ミキサーパートのうちの１つが選択された際に該選択されたミキサーパートに対応する楽譜パートの表示態様を他の楽譜パートと異ならせる機能とをコンピュータに実行させるので、楽譜が多数の楽譜パートを含む場合でも、任意の楽譜パートとミキサーパートとの対応関係が一目瞭然となり、お目当てのパートの音色や音量、音質等の調整をすばやく正確に行うことが可能となる。
【００４７】
なお、ハードウェアや表示装置および入力装置の構成、表示装置に表示する画面の態様、表示領域の矩形、五線譜領域またはミキサーパートをホバーした際に変化する表示態様、楽譜データの態様等は、上記実施形態に限られず、種々の変更が可能である。例えば、五線譜領域またはミキサーパートをホバーした際の表示態様の変化は、ミキサーパートの枠や全体の色を変えるほか、発光の明度変更や点滅動作を行ったり、楽譜のパート名称やミキサーパートにマークや囲み枠を付したり、囲み枠の太さを変えたりすることで実行してもよい。要は、ホバーによって選択状態の楽譜パートやミキサーパートが、非選択状態の楽譜パートやミキサーパートと容易に識別できる態様であれば上記に限らない。
【符号の説明】
【００４８】
１…ハードウェア、２…入力装置、３…表示装置、４…サウンド出力装置、１０…入力操作検出部、１１…ミキサーパート操作検出部、１２…ミキサーホバーパート検出部、１３…ミキサーパート情報設定部、１４…楽譜ホバーパート検出部、１５…再生情報生成部、１６…ミキサーパート情報記憶部、１７…ミキサー画像生成部、１８…楽譜情報記憶部、１９…楽譜画像生成部、２０…表示領域、２１…楽譜表示領域、２２…ミキサーパート表示領域、３０，６０，７０…楽譜画像、５０…表示窓、Ｍ１〜Ｍ１８…ミキサーパート、３１，６１，６２，７１，７２…五線譜領域
【図１】
2018101048.tif 000003
【図２】
2018101048.tif 000004
【図３】
2018101048.tif 000005
【図４】
2018101048.tif 000006
【図５】
2018101048.tif 000007
【図６】
2018101048.tif 000008
【図７】
2018101048.tif 000009
【図８】
2018101048.tif 000010